(57)【要約】 【課題】  ネジ等を外部に露出させずに手摺を支柱に固定することができる梯子を得る。【解決手段】    一対の中空の支柱１０と、一対の支柱１０間に架設された複数の踏板４０と、支柱１０に設けられた手摺５０とを備えた梯子１であって、支柱１０は、内側に配置されると共に踏板４０が固定される踏板側部材１１と、外側に配置されると共に手摺５０が固定される手摺側部材１２とを備えている。手摺５０には、手摺固定用のネジ１００が螺合されるネジ螺合部５１が設けられている。手摺側部材１２の内側からネジ１００を手摺側部材１２の挿入孔１５及びブラケット６０の貫通孔６３に挿通してネジ螺合部５１に螺合させ、手摺側部材１２、ブラケット６０及び手摺５０を固定する。【選択図】  図３
2019210650.tif 000002
【特許請求の範囲】
【請求項１】
一対の中空の支柱と、一対の該支柱間に架設された複数の踏板と、前記支柱に設けられた中空の手摺とを備えた梯子であって、
一対の前記支柱は、内側に配置されると共に前記踏板が固定される踏板側部材と、外側に配置されると共に前記手摺が固定される手摺側部材とを備え、
前記手摺側部材と前記手摺との間には、前記手摺を前記手摺側部材に取り付けるブラケットが設けられ、
前記手摺は、手摺固定用のネジが螺合されるネジ螺合部を備え、
前記手摺側部材には、前記ネジ螺合部に対応する位置に挿入孔が穿設され、
前記ブラケットには、前記ネジ螺合部及び前記挿入孔に対応する位置に貫通孔が穿設され、
前記手摺側部材の内側から前記挿入孔及び前記貫通孔に挿通された前記ネジが前記ネジ螺合部に螺合することにより、前記手摺側部材、前記ブラケット及び前記手摺が固定されることを特徴とする梯子。
【請求項２】
前記ブラケットは、前記手摺の端部に装着される手摺キャップ部を備えていることを特徴とする請求項１に記載の梯子。
【請求項３】
前記支柱の上端開口部には上端キャップが装着され、
前記上端キャップには、前記上端開口部に挿入される踏板側挿入板部及び手摺側挿入板部が設けられ、
前記踏板側挿入板部が前記踏板側部材に係止し、前記手摺側挿入板部が前記手摺側部材に係止することにより、前記踏板側部材と前記手摺側部材が前記上端キャップに固定されることを特徴とする請求項１又は２に記載の梯子。
【請求項４】
前記支柱を吊り下げるための支持具が壁面に設けられ、
前記支柱の上部には、前記支持具に掛けられる掛止具が設けられ、
前記掛止具は、前記支柱に沿って延伸した基部と、該基部から突出して設けられたフック部とを備え、
前記支持具は、前記フック部を掛止する保持部と、該保持部から下方に延伸した受け部とを備え、
前記フック部を前記保持部に掛止して前記支柱を壁面に沿って吊り下げたときに、前記支柱の上部又は前記基部が前記受け部に当接し、且つ前記支柱の下端部が壁面に接触しないことを特徴とする請求項１から請求項３のいずれか一項に記載の梯子。
【発明の詳細な説明】
【技術分野】
【０００１】
本発明は、ロフトや屋根裏等の階上とその階下とを行き来するのに使用する梯子に関するものである。
【背景技術】
【０００２】
建物の内部空間を有効活用するために、中二階を収納スペースとして利用するためのロフトや、天井を物置として利用するための屋根裏を設けた建物が多く建設されている。このようなロフトや屋根裏（本発明ではこれらを「階上」と総称する。）においては、階上と階下との間を行き来するために梯子が用いられている。
【０００３】
その種の梯子においては、特許文献１に記載のように、一対の支柱２の上部にフック１５Ａ、１５Ｂが固着されている。上側のフック１５Ａを壁面の係止棒１６Ａに掛止して、支柱２の下端を床面に設置すると、梯子は傾斜した姿勢で壁面に立て掛けられた使用状態となる（特許文献１の図１参照）。また、下側のフック１５Ｂを係止棒１６Ａに掛止すると、梯子は壁面に沿って吊り下げられた収納状態となる（特許文献１の図２参照）。
【０００４】
また、梯子の支柱には、使用者が昇降する際に手で掴む手摺が設けられている。手摺を支柱に固定する構造として、特許文献１では、支柱２及び手摺４の孔に支柱２側からネジ１１を通し、このネジ１１を手摺３内のインナーピース１０に螺合させている（特許文献１の図１３及び図１６参照）。
【０００５】
特許文献２の梯子では、支柱１２にリベット４２で固定された固定部材３４と、手摺１６を挟持する挟持部材３６とが設けられており、固定部材３４の外側からネジ３０を挟持部材３６及び手摺１６まで挿通し、このネジ３０の締結力で固定部材３４と挟持部材３６とに手摺１６を挟持させている（特許文献２の図７参照）。
【先行技術文献】
【特許文献】
【０００６】
【特許文献１】特開２００２−２４２５６９号公報
【特許文献２】特開２００５−１６０６９号公報
【発明の概要】
【発明が解決しようとする課題】
【０００７】
しかしながら、特許文献１に記載の梯子においては、ネジ１１のネジ頭が支柱２から露出するため、露出したネジ１１に使用者の衣服が引っ掛かってしまうおそれがある（特許文献１の図１３及び図１６参照）。
特許文献２に記載の梯子にあっては、リベット４２が支柱１２の外側に露出したり、ネジ３０のネジ頭が固定部材３４の外側に露出したりするため、使用者がリベット４２やネジ３０に触れてしまうおそれがあり、また、梯子の外部にネジ３０が露出すると見栄えが悪くなる（特許文献２の図７参照）。
本発明の第１の目的は、ネジ等を外部に露出させずに手摺を支柱に固定することができる梯子を提供することにある。
【０００８】
特許文献１に記載の梯子は、下側のフック１５Ｂを係止棒１６Ａに係止させて梯子を吊り下げたとき、係止棒１６Ａを支点とした梯子のつり合いから、支柱２の下端部が壁面に当接する。そのため、梯子を壁面に待機させる収納状態とする際に、支柱２の下端部が壁面にぶつかり壁面を傷つけたり汚したりするおそれがある（特許文献１の図２参照）。
本発明の第２の目的は、梯子を収納状態とした際に支柱の下端部で壁面を傷つけたり汚したりしない梯子を提供することにある。
【課題を解決するための手段】
【０００９】
第１の目的を達成するために、本発明の第１の特徴は、一対の中空の支柱と、一対の該支柱間に架設された複数の踏板と、前記支柱に設けられた中空の手摺とを備えた梯子であって、一対の前記支柱は、内側に配置されると共に前記踏板が固定される踏板側部材と、外側に配置されると共に前記手摺が固定される手摺側部材とを備え、前記手摺側部材と前記手摺との間には、前記手摺を前記手摺側部材に取り付けるブラケットが設けられ、前記手摺は、手摺固定用のネジが螺合されるネジ螺合部を備え、前記手摺側部材には、前記ネジ螺合部に対応する位置に挿入孔が穿設され、前記ブラケットには、前記ネジ螺合部及び前記挿入孔に対応する位置に貫通孔が穿設され、前記手摺側部材の内側から前記挿入孔及び前記貫通孔に挿通された前記ネジが前記ネジ螺合部に螺合することにより、前記手摺側部材、前記ブラケット及び前記手摺が固定される、ことを特徴とする。
【００１０】
第１の特徴によれば、内側に配置される踏板側部材と、外側に配置される手摺側部材とを備えた支柱において、手摺側部材の内側からネジ止めして手摺を固定するので、中空の支柱内に手摺固定用のネジのネジ頭を隠すことができる。また、ブラケットを用いて手摺を手摺側部材に固定することにより、どのような形状の手摺でも安定して固定することができる。
【００１１】
本発明の第２の特徴は、前記ブラケットは、前記手摺の端部に装着される手摺キャップ部を備えている、ことを特徴とする。
【００１２】
第２の特徴によれば、貫通孔とネジ螺合部とが対向するように手摺の端部に手摺キャップ部を装着することにより、手摺に対してブラケットが位置決めされる。これにより、手摺を固定するためのネジ止め作業が容易になる。
【００１３】
本発明の第３の特徴は、前記支柱の上端開口部には上端キャップが装着され、前記上端キャップには、前記上端開口部に挿入される踏板側挿入板部及び手摺側挿入板部が設けられ、前記踏板側挿入板部が前記踏板側部材に係止し、前記手摺側挿入板部が前記手摺側部材に係止することにより、前記踏板側部材と前記手摺側部材が前記上端キャップに固定される、ことを特徴とする。
【００１４】
第３の特徴により、上端キャップを支柱の上端開口部に装着するだけで、容易に踏板側部材と手摺側部材を固定することができる。
【００１５】
第２の目的を達成するために、本発明の第４の特徴は、前記支柱を吊り下げるための支持具が壁面に設けられ、前記支柱の上部には、前記支持具に掛けられる掛止具が設けられ、前記掛止具は、前記支柱に沿って延伸した基部と、該基部から突出して設けられたフック部とを備え、前記支持具は、前記フック部を掛止する保持部と、該保持部から下方に延伸した受け部とを備え、前記フック部を前記保持部に掛止して前記支柱を壁面に沿って吊り下げたときに、前記支柱の上部又は前記基部が前記受け部に当接し、且つ前記支柱の下端部が壁面に接触しない、ことを特徴とする。
【００１６】
第４の特徴によれば、支柱を支持具に吊り下げたときに、支柱の上部又は基部が受け部に当接するので、支柱の下端部が壁面に接近しようとする動きを受け部で抑えることができ、収納状態の姿勢を安定させることができる。また、支柱の下端部が壁面に接触しないので、支柱の下端部で壁面を傷つけたり汚したりすることがない。
前記第４の特徴については、前記第４の特徴を備えた梯子の支持構造として提供することも可能である。即ち、一対の支柱間に複数の踏板が架設された梯子の支持構造であって、前記支柱を吊り下げるための支持具が壁面に設けられ、前記支柱の上部には、前記支持具に掛けられる掛止具が設けられ、前記掛止具は、前記支柱に沿って延伸した基部と、該基部から突出して設けられたフック部とを備え、前記支持具は、前記フック部を掛止する保持部と、該保持部から下方に延伸した受け部とを備え、前記フック部を前記保持部に掛止して前記支柱を壁面に沿って吊り下げたときに、前記支柱の上部又は前記基部が前記受け部に当接し、且つ前記支柱の下端部が壁面に接触しない、ことを特徴とする。
【発明の効果】
【００１７】
本発明の第１から第３の特徴によれば、支柱や手摺の外部にネジ等が露出しないため、使用者がネジ等に触れることがなく、且つ梯子の外観を良好にすることができる。また、本発明の第４の特徴によれば、梯子の収納状態の姿勢を安定させることができ、支柱の下端部で壁面を傷つけたり汚したりすることがない。
【図面の簡単な説明】
【００１８】
【図１】本発明に係る梯子の実施形態の一例であって、梯子の使用状態を示す斜視図である。
【図２】第１図の一部拡大斜視図である。
【図３】本実施例における支柱とブラケットと手摺の上部を示す分解斜視図である。
【図４】本実施例における支柱と手摺の下部との取付状態を示す断面図である。
【図５】（Ａ）は本実施例における上端キャップの側面図、（Ｂ）は上端キャップの正面図である。
【図６】本実施例における支柱と踏板との取付状態を示す説明図である。
【図７】本実施例における梯子の収納状態を示す斜視図である。
【図８】本実施例における梯子の収納状態を示す側面図である。
【図９】図８の支柱の下端部を拡大して示す一部断面図である。
【図１０】本実施例における掛止具を受け具に掛止させた状態を示す説明図である。
【発明を実施するための形態】
【００１９】
以下、本発明に係る梯子を実施するための形態を、図面を参照して詳細に説明する。
図１に示すように、梯子１は、ロフトや屋根裏の階上とその階下とを行き来するのに使用する梯子の例である。梯子１は、一対の支柱１０と、一対の支柱１０間に架設された複数の踏板４０と、支柱１０に設けられた手摺５０とを備える。
【００２０】
図３及び図４に示すように、各支柱１０は、断面略矩形の中空状に形成されている。各支柱１０は、踏板４０が固定される踏板側部材１１と、手摺５０が固定される手摺側部材１２とを備えている。なお、支柱１０において、踏板４０側を「内側」とし、手摺５０側を「外側」として、以下説明する。
【００２１】
踏板側部材１１は、アルミニウムまたはアルミニウム合金等の金属製材料を押し出し成形することによって形成されている。踏板側部材１１は、外側に開放した断面略コ字状に形成され、一対の支柱１０の内側に配置されている。踏板側部材１１の開放部分を挟んで対向する側縁部には、平面視Ｌ字状の嵌合溝部１３が長手方向に連続して設けられている。
【００２２】
手摺側部材１２は、アルミニウムまたはアルミニウム合金等の金属製材料を押し出し成形することによって形成されている。手摺側部材１２は、長尺板状であり、一対の支柱１０の外側に配置されている。手摺側部材１２の側端部には、踏板側部材１１の嵌合溝部１３に嵌る嵌合縁部１４が長手方向に連続して設けられている。手摺側部材１２には、手摺５０を固定するためのネジ１００が挿入される挿入孔１５が、後述する手摺５０のネジ螺合部に対応する位置に穿設されている。挿入孔１５は、手摺固定用のネジ１００の軸部よりも大径に形成されると共に、該ネジ１００の頭部よりも小径に形成される。
【００２３】
踏板側部材１１の上端部及び手摺側部材１２の上端部には、後述するする上端キャップの嵌合凸部が嵌合する嵌合孔１７，１８がそれぞれ穿設されている。踏板側部材１１の嵌合孔１７は、奥行方向に沿って２つ穿設されている。また、手摺側部材１２の嵌合孔１８は、挿入孔１５とは離れた位置に長手方向に沿って２つ穿設されている。
【００２４】
各支柱１０の上端開口部１６には、上端キャップ２１が装着されている。上端キャップ２１は、ポリプロピレン、ポリエチレン、ＡＳＡ樹脂、ＡＢＳ樹脂、ポリ塩化ビニル等の合成樹脂により形成されている。図５に示すように、上端キャップ２１は、支柱１０の上端開口部１６を塞ぐ蓋部２２を備えており、蓋部２２には、広幅の踏板側挿入板部２３と、狭幅の手摺側挿入板部２４とが対向して立設されている。踏板側挿入板部２３には、踏板側部材１１の嵌合孔１８に嵌合する嵌合凸部２５が設けられ、手摺側挿入板部２４には、手摺側部材１２の嵌合孔１９に嵌合する嵌合凸部２６が設けられている。踏板側挿入板部２３及び手摺側挿入板部２４が支柱の１０の上端開口部１６に挿入され、嵌合凸部２５，２６が嵌合孔１７，１８に嵌合すると、踏板側部材１１及び手摺側部材１２が上端キャップ２１に固定されるようになっている。
【００２５】
図９に示すように、各支柱１０の下端には金属製の下端キャップ２７が取り付けられている。下端キャップ２７は、下端開口部を塞ぐ平板状の底板部２８と、該底板部２８の両側縁部から略直角に立ち上がる一対の挿入板部２９とを備えている。各挿入板部２９を支柱１０の下端開口部に挿入し、各挿入板部２９をネジ１０１でネジ止めすることで、下端キャップ２７が支柱１０の下端に固定される。底板部２８は、支柱１０の下端開口縁に当接し、支柱１０内に入り込まないようになっている。
各支柱１０の下端には、下端キャップ２７を固定したネジ１０１を隠すように、下端キャップ２７の上から合成ゴム製の脚端具３０が装着されている。脚端具３０の設置面は、図９の仮想線に示すように、中間部が下側に膨らんだ円弧状に形成されている。また、脚端具３０には、壁面側の面に半円柱状の凸部３１が形成されている。
【００２６】
踏板４０は、中空板状であり、アルミニウムまたはアルミニウム合金等の金属製材料によって形成されている。図６に示すように、踏板４０の内部には、踏板固定用のネジ１０２が螺合するビスホール４１が設けられ、踏板固定用のネジ１０２がビスホール４１に螺合することにより踏板４０が踏板側部材１１に固定される。踏板４０は、支柱１０を傾斜した状態に立てかけたときに、階下の床面と略水平となるように設けられている。踏板４０の両側端部には、踏板４０の開口部を塞ぐ踏板キャップ４２が装着されている。
【００２７】
手摺５０は、パイプ状の部材を曲げることによって形成されている。図２に示すように、手摺５０の上部は、略Ｕ字状に湾曲され、手摺５０の下部は、略Ｌ字状に屈曲されている。手摺５０の両端部には、手摺固定用のネジ１００が螺合されるネジ螺合部５１が設けられている。本実施例では、手摺５０に２つの孔５２が穿設されて、この２つの孔５２にそれぞれ取り付けられたブラインドナット５３がネジ螺合部５１として機能する。
【００２８】
手摺５０の両端部には、手摺５０を手摺側部材１２に取り付けるブラケット６０が設けられている。ブラケット６０は、手摺５０を支持する断面略コ字状の本体部６１と、手摺５０の端部に装着される手摺キャップ部６２とを備えている。本体部６１には、ネジ螺合部５１及び挿入孔１５に対応する位置に手摺固定用のネジ１００が貫通する貫通孔６３が穿設されている。手摺キャップ部６２は、開口部５４を塞ぐ蓋部６４と、開口部５４内に嵌合する断面略Ｃ字状の筒状板部６５とを備えている。
【００２９】
次に、梯子を収納状態とするための支持構造について説明する。
図７及び図８に示すように、梯子１の支持構造は、壁面に設けられる支持具８０と、支持具８０に掛けられる掛止具７０とを備えている。
掛止具７０は、鋼板等の金属板材を加工して形成されている。掛止具７０は、支柱１０に沿って延伸した基部７１と、該基部７１の上端部から屈曲して延伸されたフック部７２とを備えている。基部７１は、板状に形成され、支柱１０に固定される。基部７１の長さは、支柱１０を壁面に沿って吊り下げたときに、後述する支持具８０の受け部が基部７１に当接する長さとなっている。フック部７２は、略Ｌ字状に屈曲して形成されている。
本実施例では、各支柱１０の上部には、梯子１を使用状態とする際に用いる係止具７０Ａと、梯子１を収納状態とする際に用いるに掛止具７０Ｂとが上下２段に設けられている。上側の掛止具７０Ａと下側の掛止具７０Ｂは同一のものが用いられる。
【００３０】
支持具８０は、鋼板等の金属板材を加工して形成されている。支持具８０は、フック部７２を掛止する保持部８１と、該保持部８１から下方に延伸した受け部８２とを備えている。保持部８１は、本実施例では、略台形筒状に形成されている。保持部８１の壁側部分には、上方に延伸した固定部８３が設けられており、固定部８３は、支持具固定用のネジにより壁面に固定されている。
【００３１】
図８に示すように、受け部８２は、フック部７２が保持部８１に掛止された際、支持具８０に吊り下げられた支柱１０の下端部が壁面に接触しないように支柱１０を受け止める。受け部８２は、保持部８１の下部から斜め下方向且つ壁面から離れる方向に延出された延出部８４と、該延出部８４の下端から壁面と略平行に下方向に延伸する下垂部８５とを備えている。本実施例では、フック部７２を保持部８１に掛止して支柱１０を支持具８０に吊り下げた際、下垂部８５が基部７１に当接して、支柱１０が壁面と略平行な状態で支持される。
【００３２】
図１０に示すように、階上床面の端縁部には、凹部９１が形成された見切り材９０が設けられている。見切り材９０には、梯子１を使用状態とするために掛止具７０が掛止される受け具９２が設けられている。受け具９２は、凹部９１を塞ぐ金属製の受けプレート９３を備えており、受けプレート９３には、掛止具７０のフック部７２が挿入されるフック挿入孔９４が形成されている。受けプレート９３の下面には、フック挿入孔９４に挿入されたフック部７２を受け入れるフック受け部９５が設けられている。
【００３３】
上側の掛止具７０Ａのフック部７２を見切り材９０に受け具９２に掛止させ、支柱１０の脚端具３０を階下の床面に載置させることにより、梯子１を上り下りする使用状態となる（図１）。また、下側の掛止具７０Ｂのフック部７２を支持具８０の保持部８１に掛止させて、支柱１０を支持具８０に吊り下げることにより、梯子１を壁面に待機させる収納状態となる（図７）。
【００３４】
次に、本実施例における手摺を支柱に取り付ける状態について、図３を参照して説明する。
まずは、手摺５０の上側の孔５２にブラインドナット５３を固着する。次に、手摺５０の開口部にブラケット６０の手摺キャップ部６２を装着し、ブラケット６０の貫通孔６３をブラインドナット５３の位置に合わせる。そして、これと同様の方法で手摺５０の下側にブラケット６０を取り付ける。次に、手摺側部材１２の挿入孔１５をブラケット６０の貫通孔６３の位置に合わせ、手摺５０の上側と下側のそれぞれに対して、手摺側部材１２の内側から手摺固定用のネジ１００を挿入孔１５及び貫通孔６３に挿通してブラインドナット５３に螺合させる。これにより、手摺５０の上側と下側がブラケット６０を介して手摺側部材１２に固定される。そして、手摺５０が固定された手摺側部材１２の嵌合縁部１４を踏板側部材１１の嵌合溝部に挿入し、手摺側部材１２をスライドさせて手摺側部材１２に踏板側部材１１を取り付ける。
【００３５】
次に、支柱１０の上端開口部１６に上端キャップ２１を装着する。上端キャップ２１の踏板側挿入板部２３及び手摺側挿入板部２４を支柱１０の上端開口部１６に挿入して、踏板側部材１１の嵌合孔１７に踏板側挿入板部２３の嵌合凸部２５を嵌合させると共に、手摺側部材１２の嵌合孔１８に手摺側挿入板部２４の嵌合凸部２６を嵌合させる。これにより、蓋部２１が支柱１０の上端開口部１６を閉塞すると共に、踏板側部材１１及び手摺側部材１２が上端キャップ２１に固定される。このように、上端キャップ２１を支柱１０の上端開口部１６に装着するだけで、容易に踏板側部材１１と手摺側部材１２を固定することができる。
【００３６】
以上のように構成された梯子１においては、手摺側部材１２の内側からネジ１００をブラインドナット５３に螺合させて手摺側部材１２に手摺５０を固定し、この手摺５０が固定された手摺側部材１２を踏板側部材１１に取り付けるので、図４に示すように、中空の支柱１０内にネジ１００のネジ頭を隠すことができる。これにより、支柱１０や手摺５０の外部にネジ１００が露出しないため、使用者がネジ１００に触れることがなく、且つ梯子１の外観を良好にすることができる。また、ブラケット６０を用いて手摺５０を手摺側部材１２に固定することにより、円筒状の手摺５０でも安定して固定することができる。
【００３７】
ブラケット６０は、貫通孔６３が穿設された本体部６１と、手摺５０の端部に装着される手摺キャップ部６２とを備えているので、貫通孔６３とブラインドナット５３とが対向するように手摺５０の端部に手摺キャップ部６２を装着することにより、手摺５０に対してブラケット６０の本体部６１が位置決めされる。これにより、手摺５０を固定するためのネジ止め作業が容易になる。
【００３８】
掛止具７０Ｂを支持具８０に掛止させ、支柱１０を支持具８０に吊り下げたときに、掛止具７０Ｂの基部７１が支持具８０の受け部８２に当接し、支柱１０の下端部が壁面に接近しようとする動きを受け部８２が抑えるため、梯子１の収納状態の姿勢を安定させることができる。また、本実施例では、梯子１を収納状態とした際に、支柱１０は壁面と略並行に支持されるので、支柱１０の下端部が壁面に接触することがなく、支柱１０の下端部で壁面を傷つけたり汚したりすることがない。さらに、本実施例では、支柱１０を支持具８０に吊り下げたとき、受け部８２は基部７１に当接するものの、支柱１０には当接しないので、受け部８２で支柱１０を傷つけることがない。
【００３９】
脚端具３０の設置面は、図９の仮想線に示すように、中間部が下側に膨らんだ円弧状に形成されているので、梯子１を使用状態とする際に支柱１０の傾斜角度が若干異なっていても、脚端具３０を安定して床面に設置にすることができる。また、脚端具３０には、壁面側の面に半円柱状の凸部３１が形成されているので、支柱１０の下端部を誤って壁面にぶつけた場合でも、凸部３１により衝撃を和らげることができる。
【００４０】
なお、本発明は、上述の実施形態に限定されるものではなく、本発明の要旨を逸脱しない範囲において適宜の変更が可能である。上述の実施形態では、ロフトや屋根裏へ行き来するのに使用する梯子となっているが、本発明はこれに限定されるものでなく、その他の梯子にも適用することが可能である。また、上述の実施形態では、使用状態に用いる掛止具と収納状態に用いる掛止具とを別個に支柱に設けているが、本発明はこれに限定されるものでなく、支柱の長さや支持具を取り付ける高さによっては、各支柱に１つずつ設けた掛止具で使用状態と収納状態を共用することができる。また、上述の実施形態では、梯子を収納状態とする際に支持具の受け部で支柱を傷つけることがないように、支持具の受け部が掛止具の基部に当接するようになっているが、掛止具の基部を短くして支持具の受け部が支柱に当接するようにすることも可能である。また、上述の実施形態では、手摺にはネジ螺合部としてブラインドナットを設けたが、本発明はこれに限定されるものでなく、ウェルナット、アンカープラグ等を設けてもよく、あるいは、手摺にバーリングタップ加工を施してネジ螺合部を形成してもよい。
【産業上の利用可能性】
【００４１】
本発明は、ロフトや屋根裏へ行き来するのに使用する梯子に好適に利用できる。
【符号の説明】
【００４２】
１  梯子
１０  支柱
１１  踏板側部材
１２  手摺側部材
１３  嵌合溝部
１４  嵌合縁部
１５  挿入孔
１６  上端開口部
１７，１８  嵌合孔
２０  掛止孔
２１  上端キャップ
２２  蓋部
２３  踏板側挿入板部
２４  手摺側挿入板部
２５，２６  嵌合凸部
２７  下端キャップ
２８  底板部
２９  挿入板部
３０  脚端具
３１  凸部
４０  踏板
４１  ビスホール
４２  踏板キャップ
５０  手摺
５１  ネジ螺合部
５２  孔
５３  ブラインドナット
６０  ブラケット
６１  本体部
６２  手摺キャップ部
６３  貫通孔
６４  蓋部
６５  筒状板部
７０（７０Ａ，７０Ｂ）  掛止具
７１  基部
７２  フック部
８０  支持具
８１  保持部
８２  受け部
８３  固定部
８４  延出部
８５  下垂部
９０  見切り材
９１  凹部
９２  受け具
９３  受けプレート
９４  フック挿入孔
９５  フック受け部
１００，１０１，１０２，１０３  ネジ
【図１】
2019210650.tif 000003
【図２】
2019210650.tif 000004
【図３】
2019210650.tif 000005
【図４】
2019210650.tif 000006
【図５】
2019210650.tif 000007
【図６】
2019210650.tif 000008
【図７】
2019210650.tif 000009
【図８】
2019210650.tif 000010
【図９】
2019210650.tif 000011
【図１０】
2019210650.tif 000012